(57)【要約】【課題】コンパクトな構造で河川等の汚染された水を浄化することができ、設備費の低減を図る小型船を利用した水浄化装置を提供すること。【解決手段】第１水浄化装置Ａ１は、吸込口と吐出口を設けたルーツブロワ３と、その吐出口に一端を接続し他端を小型船１５０の船体１５１の外側へ臨ませるように設けた排出管３５と、その他端に接続した散気管ユニット４５とを備え、ルーツブロワ３の運転により外部から吸引される空気を散気管ユニット４５に供給することにより当該ユニットで発生する多量の微細気泡を水中に放出させ、第２水浄化装置Ａ２は、吸込口と吐出口を設けたルーツポンプ７３と、その吸込口に一端を接続し船体１５１に設けた取水口１５２に他端を接続した吸入管１２５と、その吐出口に一端を接続し船体の外側へ放出口１２９を臨ませた排出管１２８を備え、微細化された気泡が含まれた水を放出口１２９から水中に放出するようにした。【選択図】図１
2011062615.tif 000002
【特許請求の範囲】
【請求項１】
小型船に設けた水浄化装置の放出口から河川又は池若しくは湖沼の水中に微細気泡を放出させることにより水を浄化する水浄化装置であって、
前記水浄化装置は第１水浄化装置と第２水浄化装置とからなり、
第１水浄化装置は、吸込口と吐出口を設けたブロワケーシング内に収められた一対の３葉ルーツロータを駆動モータにより回転自在に設けたルーツブロワと、その吐出口に一端を接続し他端を前記小型船の船体の外側へ臨ませるように設けた排出管と、その他端に接続した散気管とを備え、
前記ルーツブロワの運転により外部から吸引される空気を前記散気管に供給することにより当該散気管で発生する多量の微細気泡を水中に放出させ、
第２水浄化装置は、吸込口と吐出口を設けたポンプケーシング内に収められた一対の２葉式ルーツロータを駆動モータにより回転自在に設けたルーツポンプと、その吸込口に一端を接続し前記船体に設けられた取水口に他端を接続した吸入管と、その吐出口に一端を接続し前記船体の外側へ他端側の放出口を臨ませた排出管とを備え、その吸入管に連通する管路に空気導入口と、吸い込んだ水を衝突させる衝突部材とを設け、
前記ルーツポンプの運転により前記取水口から水を吸い込むと共に前記空気導入口から取り込まれる空気が混合した水を前記衝突部材に衝突させることにより多量の気泡を発生させ、かつ、前記ルーツポンプによる圧縮作用により該気泡を微細化し、その微細化された気泡が含まれた水を前記放出口から水中に放出させるように構成したことを特徴とする小型船を利用した水浄化装置。
【請求項２】
小型船に設けた水浄化装置の放出口から河川又は池若しくは湖沼の水中に微細気泡を放出させることにより水を浄化する水浄化装置であって、
吸込口と吐出口を設けたブロワケーシング内に収められた一対の３葉ルーツロータを駆動モータにより回転自在に設けたルーツブロワと、その吐出口に一端を接続し他端を前記小型船の船体の外側へ臨ませるように設けた排出管と、その他端に接続した散気管とを備え、
前記ルーツブロワの運転により外部から吸引される空気を前記散気管に供給することにより当該散気管で発生する多量の微細気泡を水中に放出させるように構成したことを特徴とする小型船を利用した水浄化装置。
【請求項３】
小型船に設けた水浄化装置の放出口から河川又は池若しくは湖沼の水中に微細気泡を放出させることにより水を浄化する水浄化装置であって、
吸込口と吐出口を設けたポンプケーシング内に収められた一対の２葉式ルーツロータを駆動モータにより回転自在に設けたルーツポンプと、その吸込口に一端を接続し前記船体に設けられた取水口に他端を接続した吸入管と、その吐出口に一端を接続し前記船体の外側へ他端側の放出口を臨ませた排出管とを備え、その吸入管に連通する管路に空気導入口と、吸い込んだ水を衝突させる衝突部材とを設け、
前記ルーツポンプの運転により前記取水口から水を吸い込むと共に前記空気導入口から取り込まれる空気が混合した水を前記衝突部材に衝突させることにより多量の気泡を発生させ、かつ、前記ルーツポンプによる圧縮作用により該気泡を微細化し、その微細化された気泡が含まれた水を前記放出口から水中に放出させるように構成したことを特徴とする小型船を利用した水浄化装置。
【発明の詳細な説明】
【技術分野】
【０００１】
本発明は、小型船に設けた水浄化装置の放出口から河川又は池若しくは湖沼の水中に微細気泡を放出することにより、水中の溶存酸素濃度を向上させて水を浄化する水浄化装置に関する。
【背景技術】
【０００２】
河川や池の汚染された水域の水浄化装置として、色々な装置・方法が提案されており、生態系、人の生活環境への影響等を懸念して汚染水域の水の浄化対策が望まれている。
【０００３】
特許文献１には、電解質膜によって陽極側と陰極側とに分離された水電解装置を備え、電気分解される被浄化水の一部を陽極側に供給する水供給系と、陰極側から水素を含む水を被浄化水に戻す浄化水系を有し、被浄化水に戻した水素による還元作用により被浄化水中の藻や植物性微生物の繁殖を抑えて海水や湖水を浄化する構成とされた水浄化装置を、水中を移動する船形のケーシングに設置した技術事項が開示されている。
【０００４】
また、特許文献２には、浄化する河川又は湖沼の水を流通可能に設けた処理室と、処理室内に設けられた充填材層を有する水浄化装置を使用し、充填材層にて水を生物的及び／または物理的なろ過処理により浄化する過程と、浄化過程により充填材層内に形成される適性菌の菌叢を分離する逆洗過程と、分離された菌叢を河川等へ放出する過程を有する浄化方法を水上移動可能な船形の浮遊体に適用した技術事項が開示されている。
【０００５】
ところで、上記文献に記載された水浄化装置・水浄化方法は、処理工程が複雑であることから設備費が高くつくと思われる。
【先行技術文献】
【特許文献】
【０００６】
【特許文献１】特許４０２２０６５号公報
【特許文献２】特許２５７３９０２号公報
【発明の概要】
【発明が解決しようとする課題】
【０００７】
本発明の目的は、コンパクトな構造で河川等の汚染された水を浄化することができ、設備費の低減を図る小型船を利用した水浄化装置を提供することにある。
【課題を解決するための手段】
【０００８】
前記目的を達成するために請求項１に記載した発明は、小型船に設けた水浄化装置の放出口から河川又は池若しくは湖沼の水中に微細気泡を放出させることにより水を浄化する水浄化装置であって、
前記水浄化装置は第１水浄化装置と第２水浄化装置とからなり、
第１水浄化装置は、吸込口と吐出口を設けたブロワケーシング内に収められた一対の３葉ルーツロータを駆動モータにより回転自在に設けたルーツブロワと、その吐出口に一端を接続し他端を前記小型船の船体の外側へ臨ませるように設けた排出管と、その他端に接続した散気管とを備え、
前記ルーツブロワの運転により外部から吸引される空気を前記散気管に供給することにより当該散気管で発生する多量の微細気泡を水中に放出させ、
第２水浄化装置は、吸込口と吐出口を設けたポンプケーシング内に収められた一対の２葉式ルーツロータを駆動モータにより回転自在に設けたルーツポンプと、その吸込口に一端を接続し前記船体に設けられた取水口に他端を接続した吸入管と、その吐出口に一端を接続し前記船体の外側へ他端側の放出口を臨ませた排出管とを備え、その吸入管に連通する管路に空気導入口と、吸い込んだ水を衝突させる衝突部材とを設け、
前記ルーツポンプの運転により前記取水口から水を吸い込むと共に前記空気導入口から取り込まれる空気が混合した水を前記衝突部材に衝突させることにより多量の気泡を発生させ、かつ、前記ルーツポンプによる圧縮作用により該気泡を微細化し、その微細化された気泡が含まれた水を前記放出口から水中に放出させるように構成したことを特徴とする。
【０００９】
同様の目的を達成するために請求項２に記載した発明は、小型船に設けた水浄化装置の放出口から河川又は池若しくは湖沼の水中に微細気泡を放出させることにより水を浄化する水浄化装置であって、
吸込口と吐出口を設けたブロワケーシング内に収められた一対の３葉ルーツロータを駆動モータにより回転自在に設けたルーツブロワと、その吐出口に一端を接続し他端を前記小型船の船体の外側へ臨ませるように設けた排出管と、その他端に接続した散気管とを備え、
前記ルーツブロワの運転により外部から吸引される空気を前記散気管に供給することにより当該散気管で発生する多量の微細気泡を水中に放出させるように構成したことを特徴とする。
【００１０】
同様の目的を達成するために請求項３に記載した発明は、小型船に設けた水浄化装置の放出口から河川又は池若しくは湖沼の水中に微細気泡を放出させることにより水を浄化する水浄化装置であって、
吸込口と吐出口を設けたポンプケーシング内に収められた一対の２葉式ルーツロータを駆動モータにより回転自在に設けたルーツポンプと、その吸込口に一端を接続し前記船体に設けられた取水口に他端を接続した吸入管と、その吐出口に一端を接続し前記船体の外側へ他端側の放出口を臨ませた排出管とを備え、その吸入管に連通する管路に空気導入口と、吸い込んだ水を衝突させる衝突部材とを設け、
前記ルーツポンプの運転により前記取水口から水を吸い込むと共に前記空気導入口から取り込まれる空気が混合した水を前記衝突部材に衝突させることにより多量の気泡を発生させ、かつ、前記ルーツポンプによる圧縮作用により該気泡を微細化し、その微細化された気泡が含まれた水を前記放出口から水中に放出させるように構成したことを特徴とするものである。
【発明の効果】
【００１１】
（請求項１の発明）
この小型船を利用した水浄化装置は、ルーツブロワを用いる第１水浄化装置と、ルーツポンプを用いる第２水浄化装置とからなり、第１水浄化装置の散気管から多量の微細気泡を河川等の水中に放出し、第２水浄化装置の放出口から気泡が含まれた水を河川等の水中に放出することにより、水中の溶存酸素濃度が向上して水を浄化することができる。加えて、コンパクトな構造であるので、設備費の低減を図ることができる。
【００１２】
（請求項２の発明）
この小型船を利用した水浄化装置は、ルーツブロワの運転により外部から吸引される空気を散気管に供給して散気管で発生する多量の微細気泡を河川等の水中に放出することにより、水中の溶存酸素濃度が向上して水を浄化することができる。加えて、コンパクトな構造であるので、設備費の低減を図ることができる。
【００１３】
（請求項３の発明）
この小型船を利用した水浄化装置は、ルーツポンプの運転により河川等の水を取水口から吸い込み、空気導入口から取り込まれる空気を微細化した気泡が含まれた水を放出口から水中に放出することにより、水中の溶存酸素濃度が向上して水を浄化することができる。加えて、コンパクトな構造であるので、設備費の低減を図ることができる。
【図面の簡単な説明】
【００１４】
【図１】本発明に係る第１実施形態の小型船を利用した水浄化装置の概要図
【図２】第１水浄化装置に用いるルーツブロワの縦断側面図
【図３】同ルーツブロワの縦断正面図
【図４】散気管ユニットの説明図
【図５】第２水浄化装置の概要図
【図６】第２水浄化装置に用いるルーツポンプの縦断側面図
【図７】同ルーツポンプの一部破断正面図
【図８】気泡発生管の説明図
【図９】本発明に係る第２実施形態の小型船を利用した水浄化装置の概要図
【図１０】本発明に係る第３実施形態の小型船を利用した水浄化装置の概要図
【図１１】本発明の水浄化装置と比較例における溶存酸素濃度の測定結果を示すグラフ
【発明を実施するための形態】
【００１５】
以下に、本発明の最良の形態例を図面に基づいて説明する。
【００１６】
（実施形態例１）
本発明に係る第１実施形態の小型船を利用した水浄化装置Ａは、小型船１５０の船体１５１の前室ｆに配置した第１水浄化装置Ａ１と、船体１５１の後室ｒに配置した第２水浄化装置Ａ２とからなる。
【００１７】
（第１水浄化装置）
第１水浄化装置Ａ１は、船体１５１の没水表面１５１ａに配置された多数の散気管ユニット４５から当該没水表面１５１ａに気泡を放出することにより、水中の溶存酸素濃度を向上させて水を浄化するものであり、船体１５１の前室ｆに当該装置に係るルーツブロワ３や各種配管を配置している（図１）。以下に、第１水浄化装置Ａ１について説明する。
【００１８】
図１に示すように、前室ｆに設けられた機台１上には、第１水浄化装置Ａ２を構成するルーツブロワ３と駆動モータ３０とを設置している。
【００１９】
ルーツブロワ３は、図２に示すように、吸込口５と吐出口６を設けたブロワケーシング４の内部に、一対の３葉ルーツロータ１５を上下に配置している。図３に示すように、３葉ルーツロータ１５のロータシャフト１６、１６は、ブロワケーシング４の両側の開口端に夫々固定されたハウジング８，１０に装着したベアリング９，１１により回転自由に設けられている。各ロータシャフト１６の一端１６ａには、タイミングギア１８，１８を夫々固定し、それらのタイミングギア１８，１８を噛合するように設けられている。１９はタイミングギア１８，１８を覆うようにハウジング１０に取り付けられたギアカバーである。下方のロータシャフト１６のハウジング８から突出する他端１６ｂには、プーリ２０を取り付けている。
【００２０】
吸込口５から延びるように形成された接続口５ａには、サイレンサ２２を取り付けている。吐出口６から延びるように形成された接続口６ａには、急激な圧力上昇時に圧力空気を外に逃すための安全弁２５を取り付けている。また、プーリ２０は、駆動モータ３０により伝動ベルト３１を介して回転駆動されるように設けられている。
【００２１】
しかして、駆動モータ３０の作動により３葉ルーツロータ１５，１５が僅かな隙間を保って互いに反対方向へ等速度で回転することにより、サイレンサ２２から吸引された空気がブロワケーシング４内で圧縮されて吐出口６から吐出されるルーツブロワ３が構成される。
【００２２】
前記接続口６ａに接続した排出管３５には、開閉弁３６とヘッダ３７を介装している。ヘッダ３７から分岐して接続された多数の分岐管３８には、逆止弁４０を夫々介装している。図４に示すように、分岐管３８の放出口を形成する先端部３８ａには、散気管としての散気管ユニット４５が接続されている。
【００２３】
上記逆止弁４０は、例えばルーツブロワ３の運転が停止されている場合に、船外の川や池の水が分岐管３８側へ逆流することを防止するために設けられている。
【００２４】
図４に示すように、散気管ユニット４５のホルダー４６は、船体１５１の適宜箇所に開けられた小穴１５１ｂを覆うように、船体１５１の裏面にガスケット５７を介してフランジ４７をあてがった状態でボルト５８とナット５９により締め付けて気密に固定されている。そして、散気管ユニット４５の後記散気管本体５２が、没水表面１５１ａから内方へ引っ込んだ箇所に設けられている。
【００２５】
上記ホルダー４６に形成された弁室４８には、ゴム製の球状弁５０が遊動可能に挿入されている。ホルダー４６の入口部４６ａには、前記分岐管３８の先端部に取り付けた接続具３９が螺着されている。
【００２６】
散気管本体５２は、円筒形状で周囲に多数の小穴が形成されたもの又は多孔質構造のものとし、材質としてはセラミックが望ましい。その大きさは、外径１５〜３０ｍｍ、長さ３０〜５０ｍｍである。１本の散気管の放出空気量は、毎分３０〜５０リットルである。
【００２７】
上記散気管本体５２は、その中心穴５３に通したボルト５５を上記弁室４８の一部を形成する座部４９に螺合することにより固定されている。
【００２８】
散気管本体５２から多量の微細気泡ｋが水中に放出される状態を図４に示す。
【００２９】
以上により、ルーツブロワ３の運転によりサイレンサ２２から吸引される空気がヘッダ３７から各分岐管３８を通って散気管ユニット４５に夫々供給されることにより、散気管本体５２から発生する多量の微細気泡を水中に放出する第１水浄化装置Ａ１が構成される。
【００３０】
（第２水浄化装置）
第２水浄化装置Ａ２は、船尾１５１ｄの外側に臨ませた放出口１２９から気泡混じりの水を水中に放出することにより、水中の溶存酸素濃度を向上させて水を浄化すると共に船体１５１の推進力を得るものであり、船体１５１の後室ｒに当該装置に係るルーツポンプ７３や各種配管を配置している（図１）。
以下に、第２水浄化装置Ａ２について詳しく説明する。
【００３１】
図１に示すように、後室ｒに設けられた機台７１上には、第２水浄化装置Ａ２を構成するルーツポンプ７３と駆動モータ１０８とが設置されている。
ルーツポンプ７３は、図６に示すように、吸込口７５と吐出口７６を設けたポンプケーシング７４の内部に、吸込口部７８を斜め上方に、吐出口部７９を斜め下方に設けたロータケーシング７７が４５度傾けて配置されている。ロータケーシング７７の吸込口部７８の上隅部７７ａとポンプケーシング７４の吸込口７５側の天部７４ａとは、壁８０により連接されている。また、吐出口部７９の下隅部７７ｂから横方向へ凹円弧壁８１が一体に形成され、その凹円弧壁８１のほぼ中間部とポンプケーシング７４の底部７４ｂとは、縦壁８２により連接されている。８３は縦壁８２に設けられたバイパス穴である。
【００３２】
８４，８４はポンプケーシング７４の周壁に設けられたドレン用穴、８５はポンプケーシング７４の天部７４ａに設けられた給水穴である。８７は一方のドレン用穴８４に螺着されたキャップ、９１は給水穴８５に螺着されたキャップである。他方のドレン用穴８４に螺着されるキャップ８８には、前記バイパス穴８３に先端部を挿入するロッド８９が中心部に突設されている。
【００３３】
吸込口７５には、逆止弁９２を介装して配管のためのフランジ継手９３が取り付けられている。また、吐出口７６にも同様に、フランジ継手９４が取り付けられている。
【００３４】
ロータケーシング７７には、一対の２葉式ルーツロータ９６を収めている。図７に示すように、ルーツロータ９６のロータ軸９７は、ポンプケーシング７４の両側に夫々固定されたハウジング１００，１０１に装着したベアリング１０２，１０２により回転自由に支持するように設けられている。下方のロータ軸９７のハウジング１００から突出する一端にはプーリ１０４を取付け、駆動モータ１０８により伝動ベルト１０９を介して該プーリ１０４を回転駆動するように設けられている。ロータ軸９７の他端にはタイミングギア１０５を夫々固定し、それらのタイミングギア１０５，１０５を噛合するように設けている。１０６はハウジング１０１の開口部に取り付けたギアカバーである。
【００３５】
ハウジング１００，１０１には、ロータ軸９７を支持するベアリング１０２の奥に、公知のメカニカルシールを収納したスタッフィングボックス１０３が設けられている。
【００３６】
ルーツロータ９６については、ロータ軸９７を除いて形成された芯金部９６ｂの外側にポリウレタンゴム材（又はニトリルゴム材）によりライニング加工を施している。
【００３７】
ルーツポンプ７３に接続した吸入管１１５に連通する管路１１５ａには、複数の空気導入口１１６を設ける。１１８は空気導入口１１６に接続した導入管１１７に取付けられた開閉弁である。
【００３８】
図８に示すように、上記空気導入口１１６よりもルーツポンプ７３の吸入口７５に近い箇所の管路の気泡発生管１２２には、気泡発生させるための衝突部材１２３を介装している。衝突部材５３は、図８（ｂ）に示すように、所定厚さを有する半円形状とされていて、気泡発生管１２２の大径部１２２ａに互い違いに積み重ねて収められている。
【００３９】
１２５は前記管路１１５ａに一端を接続し、船体１５１の底部１５１ｃに設けられた取水口１５２に他端を接続した吸入管である。吸入管１２５には、開閉弁１２７を介装している。他方、前記フランジ継手９４に一端を接続した排出管１２８の他端側の放出口１２９は、船尾１５１ｄの外側へ臨むように配置されている。１３０は排出管１２８に介装された開閉弁である。
【００４０】
以上により、ルーツポンプ７３の運転により船体１５１の取水口１５２から川や池などの水を吸い込むと共に空気導入口１１６からエジェクタ作用により取り込まれる空気が混合した水を衝突部材１２３に衝突させることにより多量の気泡を発生させ、かつ、ルーツポンプ７３による圧縮作用により気泡を微細化し、微細化された気泡が含まれた水を船尾１５１ｄの放出口１２９から水中に放出する第２水浄化装置Ａ２が構成される。
【００４１】
以上により構成された本発明に係る第１実施形態の小型船を利用した水浄化装置Ａは、第１水浄化装置Ａ１の散気管ユニット４５から多量の微細気泡を河川等の水中に放出し、第２水浄化装置Ａ２の放出口１２９から気泡が含まれた水を河川等の水中に放出することにより、水中の溶存酸素濃度を向上させて水を浄化することができる。
【００４２】
（実施形態例２）
本発明に係る第２実施形態の小型船を利用した水浄化装置Ｂは、図９に示すように、小型船１５０の船体１５１の前室ｆに配置されていて、上述した第１実施形態の小型船を利用した水浄化装置Ａの第１水浄化装置Ａ１と同様の構成とされている。よって、それと同一構成部分については、第１水浄化装置Ａ１の説明に用いた符号を図面に記載し、その説明を省略する。
【００４３】
船体１５１の後室ｒには、小型船１５０の推進力を得るためのスクリュー１４１を回転駆動するエンジン１４０が設置されている。
【００４４】
（実施形態例３）
本発明に係る第３実施形態の小型船を利用した水浄化装置Ｃは、図１０に示すように、小型船１５０の船体１５１の後室ｒに配置されていて、上述した第１実施形態の小型船を利用した水浄化装置Ａの第２水浄化装置Ａ２と同様の構成とされている。よって、それと同一構成部分については、第２水浄化装置Ａ２の説明に用いた符号を図面に記載し、その説明を省略する。
【００４５】
（実験）
本発明に係る小型船を利用した水浄化装置の第２水浄化装置に相当する水浄化装置と、比較例（ルーツブロワと従来の円筒形状の散気管とからなる気泡発生装置）について、清水中の溶存酸素濃度を比較する実験を行なった。実験結果を図１１のグラフに示す。
【００４６】
（実験方法）
無水亜硫酸ナトリウム粉末を実験用水槽（容積：２．３ｍ３、水深：１ｍ、水温：１１℃）内に投入して溶存酸素濃度をほぼゼロに調整した後、時間経過による清水中の溶存酸素濃度を溶存酸素計（飯島電子工業：ＤＯメータ、ＩＤ−１００）により測定した。
なお、無水亜硫酸ナトリウム粉末の投入量は、水１００リットル当たり１０〜１５ｇとした。
（本発明に係る水浄化装置）
ルーツポンプの口径：５０ｍｍ
回転速度：７５０ｒｐｍ
モータの出力：１．５ｋＷ
吐出水量：２００リットル／分
吸込空気量：４０リットル／分、２０リットル／分  の２通り
（比較例の気泡発生装置）
ルーツブロワの口径：２０ｍｍ
回転速度：１０００ｒｐｍ
モータの出力：０．４ｋＷ
吸込空気量：８０リットル／分
【００４７】
実験の結果、本発明に係る水浄化装置において、吸込空気量が毎分４０リットルの場合に、溶存酸素濃度は２０分後に約９ｍｇ／リットルに達したが、比較例では４０分経過しても約７ｍｇ／リットルであった。これらの結果から、本発明に係る水浄化装置は、比較例に比べて短時間で水中の溶存酸素濃度が飽和溶存酸素濃度の近くに上昇することが確認された。よって、本発明に係る水浄化装置が、溶存酸素濃度の向上に寄与することが実証された。
【００４８】
また、汚染河川において、本発明に係る第２水浄化装置Ａ２の性能実験を行なった。河川水の溶存酸素濃度が０．１ｍｇ／リットルの場合において、ルーツポンプ７３の吐出口７６を通過した直後の溶存酸素濃度は５．５ｍｇ／リットルとなり、空気導入口１１６から取り込まれる空気の導入効果を確認することができた。
ただし、上記実験は、水温２５℃、ルーツポンプの吐出水量：１５０リットル／分、同ポンプの吸込空気量：１５リットル／分の条件にて行なわれた。
【符号の説明】
【００４９】
Ａ・・・第１実施形態の小型船を利用した水浄化装置
Ａ１・・・第１水浄化装置
４・・・ブロワケーシング
１５・・・ルーツロータ
３０・・・駆動モータ
３５・・・排出管
４５・・・散気管ユニット（散気管）
Ａ２・・・第２水浄化装置
７３・・・ルーツポンプ
７４・・・ポンプケーシング
９６・・・２葉式ルーツロータ
１０８・・・駆動モータ
１１６・・・空気導入口
１２３・・・衝突部材
１２５・・・吸入管
１２９・・・放出口
１５２・・・取水口
１５０・・・小型船
１５１・・・船体
Ｂ・・・第２実施形態の小型船を利用した水浄化装置
Ｃ・・・第３実施形態の小型船を利用した水浄化装置
【図１】
2011062615.tif 000003
【図２】
2011062615.tif 000004
【図３】
2011062615.tif 000005
【図４】
2011062615.tif 000006
【図５】
2011062615.tif 000007
【図６】
2011062615.tif 000008
【図７】
2011062615.tif 000009
【図８】
2011062615.tif 000010
【図９】
2011062615.tif 000011
【図１０】
2011062615.tif 000012
【図１１】
2011062615.tif 000013
【手続補正書】
【提出日】平成21年9月25日(2009.9.25)
【手続補正１】
【補正対象書類名】明細書
【補正対象項目名】００１８
【補正方法】変更
【補正の内容】
【００１８】
図１に示すように、前室ｆに設けられた機台１上には、第１水浄化装置Ａ１を構成するルーツブロワ３と駆動モータ３０とを設置している。
【手続補正２】
【補正対象書類名】明細書
【補正対象項目名】００１９
【補正方法】変更
【補正の内容】
【００１９】
ルーツブロワ３は、図２に示すように、吸込口５と吐出口６を設けたブロワケーシング４の内部に、一対の３葉ルーツロータ１５を上下に配置している。図３に示すように、３葉ルーツロータ１５のロータシャフト１６、１６は、ブロワケーシング４の両側の開口端に夫々固定されたハウジング８，１０に装着したベアリング９，１１により回転自由に設けられている。各ロータシャフト１６の一端１６ａには、タイミングギア１８，１８を夫々固定し、それらのタイミングギア１８，１８を噛合するように設けられている。１９はタイミングギア１８，１８を覆うようにハウジング１０に取り付けられたギアカバーである。上方のロータシャフト１６のハウジング８から突出する他端１６ｂには、プーリ２０を取り付けている。